(57)【要約】【課題】人手を介することなく測光することができ、測光時以外は液晶面上を遮蔽せず、測光の対象となる液晶表示装置の接続されたコンピュータを介することなくネットワークによる遠隔起動ならびに必要時に起動可能な自己調整型表示システム及び自己調整型モニタ装置及び表示システムの自己調整方法並びに自己調整プログラムを提供する。【解決手段】液晶表示部と、前記液晶表示部に対向して設けられた測光部と、前記測光部の信号を検出して画質データを測定する測定手段と、予め定めた理想的な登録画質データを記憶させておく記憶手段と、前記登録画質データと測定された測定画質データを比較して差分データを抽出する比較手段と、差分データに基づき液晶表示部を制御する液晶表示制御手段とからなる自己調整型表示システムであって、差分データの値が所定の値以下となるように液晶表示部を制御する。【選択図】図１
2005208548.tif 000002
【特許請求の範囲】
【請求項１】
液晶表示部と、前記液晶表示部に対向して設けられた測光部と、前記測光部の信号を検出して画質データを測定する測定手段と、予め定めた理想的な登録画質データを記憶させておく記憶手段と、前記登録画質データと測定された測定画質データを比較して差分データを抽出する比較手段と、差分データに基づき液晶表示部を制御する液晶表示制御手段とからなる自己調整型表示システムであって、差分データの値が所定の値以下となるように液晶表示部を制御する自己調整型表示システム。
【請求項２】
測定手段は、記憶手段に予め記憶されるタイマプログラムに従って予め定められた時間毎に駆動することを特徴とする請求項１記載の自己調整型表示システム。
【請求項３】
測定手段は、ネットワークとの接続とデータの送受信を制御するネットワーク制御部と接続されて、ネットワークを介した端末からの信号によって測光の開始と終了を制御することを特徴とする請求項１に記載の自己調整型表示システム。
【請求項４】
画質データは、液晶表示部の色調を示すガンマカーブ特性と、液晶表示部の色調の均一性であるユニフォミティ特性と、映像信号を変換するための変換テーブルと、液晶表示部の輝度と、液晶を通過したバックライトの輝度とのいずれかを少なくとも一つ含むことを特徴とする請求項１乃至３いずれかに記載の自己調整型表示システム。
【請求項５】
測定手段は、液晶表示部の背後に設けられるバックライトを被覆してバックライトを反射する反射板に開口される入射用開口部の近傍に配置される光源と、前記光源を駆動する駆動回路と、前記駆動回路に送信する変調信号を発生する変調信号発生器と、前記変調信号と測光部からの信号の差分信号を検出する検出部とから構成されることを特徴とする請求項４記載の自己調整型表示システム。
【請求項６】
比較手段は、差分信号から輝度データとガンマカーブデータとユニフォミティとを算出し、さらに表示部に必要な最大強度で規格化し、較正のための階段状の映像信号と比較して変換テーブルと適正輝度量とを算出することを特徴とする請求項４または５に記載の自己調整型表示システム。
【請求項７】
液晶表示制御手段は、映像信号を入力する映像信号入力端子と、映像信号を変換テーブルに従って変換する映像変換回路と、映像変換回路の出力信号で液晶駆動信号を生成する液晶駆動回路と、バックライトを駆動するためのバックライト駆動回路から構成されて、算出された変換テーブルで映像信号を変換させ、適正輝度量でバックライト駆動回路を駆動させることを特徴とする請求項４乃至６いずれかに記載の自己調整型表示システム。
【請求項８】
さらに予め校正された校正用測光装置と測光部を液晶表示部中央に配置して前記液晶表示部の輝度を同時に測定させて、記憶手段に記憶させるとともに各輝度毎に校正用測光装置と測光部との相関係数を算出させることを特徴とする請求項１乃至７いずれかに記載の自己調整型表示システム。
【請求項９】
測光部は、ベゼルの側面と接合する固定部と、前記固定部と連接する支持部と、前記支持部上に表面部と平行に連接される平板部とからなり、前記固定部と前記平板部との間に回転軸が架設されて、前記測光部の可動部が前記回転軸に表示画面と平行に回転軸を中心に回動可能に固定されることを特徴とする請求項１記載の自己調整型表示システム。
【請求項１０】
測光部は、液晶表示装置を駆動する液晶表示装置駆動手段と接続手段を介して電気的に接続されていることを特徴とする請求項１記載の自己調整型表示システム。
【請求項１１】
測光部は、前記可動部の前記回転軸と反対側端部に開口部を設けて光管の端部を前記表示画面側に配置させて前記可動部内に前記光管を連通させ、前記光管の他端部を回転軸の軸設置面に配置された光センサと接することにより、光を前記可動部から前記光センサへ運ぶことを特徴とする請求項１記載の自己調整型表示システム。
【請求項１２】
測光部は、前記可動部の前記回転軸と反対側端部に開口部を設けて光ファイバーケーブルの端部を前記表示画面側に配置させて前記可動部内に前記光ファイバーケーブルを連通させ、前記光ファイバーケーブルの他端部を回転軸の軸設置面に配置された光センサと接することにより、光を前記可動部から前記光センサへ伝達することを特徴とする請求項１記載の自己調整型表示システム。
【請求項１３】
測光部は、前記可動部の前記回転軸と反対側端部の前記表示画面側に開口部を設けて前記表示画面と平行になるよう第１鏡面を前記可動部内部の暗室内に前記可動部の長軸に対して斜めに配置し、一方前記回転軸側端部の前記表示画面と対称に第２鏡面を配置することにより、光を前記可動部から光センサへ伝達することを特徴とする請求項１記載の自己調整型表示システム。
【請求項１４】
請求項１記載の自己調整型表示システムが搭載された自己調整型液晶表示装置。
【請求項１５】
液晶表示部と、前記液晶表示部に対向して設けられた測光部と、測光部の信号を検出して画質データを測定する測定手段と、予め定めた理想的な登録画質データを記憶させておく記憶手段と、前記登録画質データと測定された測定画質データを比較して差分データを抽出する比較手段と、差分データに基づき液晶表示部を制御する液晶表示制御手段とからなる自己調整型表示システムにおける表示システムの自己調整方法であって、
測光を開始する信号の入力を受けて測光部が液晶表示部の放出光を検出して測定データが画質データに変換し、
比較手段が予め登録された画質データと測定された画質データの差分データを得て、差分データが予め定めた値より大きい場合は差分データを液晶表示制御手段に送付して液晶表示を自己調整し、
測定データが測定日時情報とともに記憶手段へ記憶する表示システムの自己調整方法。
【請求項１６】
測光を開始する信号は、予め作動するタイマプログラムにより所定の時間の経過毎に駆動することを特徴とする請求項１５に記載の表示システムの自己調整方法。
【請求項１７】
測光を開始する信号は、ネットワークを介して接続される端末から入力される駆動開始信号であることを特徴とする請求項１５に記載の表示システムの自己調整方法。
【請求項１８】
画質データは、予め登録されたガンマカーブ特性と測光部が検出して測定手段が測定した液晶表示部のガンマカーブ特性であることを特徴とする請求項１５記載の表示システムの自己調整方法。
【請求項１９】
画質データは、予め登録されたユニフォミティ特性と測光部が検出して測定手段が測定した液晶表示部のユニフォミティ特性であることを特徴とする請求項１８記載の表示システムの自己調整方法。
【請求項２０】
画質データは、予め登録された輝度特性と測光部が検出して測定手段が測定した液晶表示部の輝度特性であることを特徴とする請求項１５記載の表示システムの自己調整方法。
【請求項２１】
さらに予め校正された校正用測光装置と測光部を液晶表示部中央に配置して前記液晶表示部の輝度を同時に測定させて、記憶手段に記憶させるとともに各輝度毎に校正用測光装置と測光部との相関係数を算出させることを特徴とする請求項１乃至７いずれかに記載の表示システムの自己調整方法。
【請求項２２】
液晶表示部と、前記液晶表示部に対向して設けられた測光部と、測光部信号を検出して画質データを測定する測定手段と、予め定めた理想的な登録画質データを記憶させておく記憶手段と、前記登録画質データと測定された測定画質データを比較して差分データを抽出する比較手段と、差分データに基づき液晶表示部を制御する液晶表示制御手段とからなる自己調整型表示システムにおける表示システムの自己調整プログラムであって、
測光を開始する信号の入力を受けて測光部が液晶表示部の放出光を検出して測定データを画質データに変換し、
比較手段が予め登録された画質データと測定された画質データの差分データを得て、差分データが予め定めた値より大きい場合は差分データを液晶表示制御手段に送付して液晶表示を自己調整する表示システムの自己調整プログラム。
【発明の詳細な説明】
【技術分野】
【０００１】
本発明は、光量制御機能を備えた液晶表示装置の測光装置並びに液晶表示装置を実現するための光量の測光技術ならびに較正方法に関し、特に測定対象の液晶表示装置を自動で画質調整する自己調整型表示システム及び自己調整型モニタ装置及び表示システムの自己調整方法並びに自己調整プログラムに関する。
【背景技術】
【０００２】
近年、液晶表示装置は家庭用のテレビ、コンピュータ、テレビ電話などに数多く使用されてきている。このような液晶表示装置はバックライトを備えるものが多い。特に印刷業や医療用などでは再現性を要求されるためフォトデテクターを液晶表示装置の背面に設けてバックライトの光量を測光してバックライトの光量の制御を行っている。さらに液晶パネルは使用温度や経時劣化により光の透過伝達特性が非線型で大きく変化するため最近は液晶前面からの測光も行いバックライトならびに液晶の光量制御を行っており、そのイメージセンサやフォトデテクターを液晶表示装置とは分離された可動のセンサを表示画面に近づけて手動で較正したり、あるいは液晶前面の一部を覆って固定したセンサで較正することが多い。
【０００３】
例えば、特許文献１では、平面表示パネル上に複数のラインセンサを並べてスキャンする欠陥検査装置について開示がなされている。センサを載置するフレームの回動情報を検知して駆動モータを停止可能とすることでモータ故障防止を図っている。
【０００４】
また、特許文献２では、パソコンの液晶モニタにおけるバックライトの輝度を測定して、バックライトの必要性を判断することで照明時間を短縮し、電力供給用電池寿命の向上を図ることができる。
【０００５】
【特許文献１】特開２００２−２５１１４９号公報
【特許文献２】特開２０００−３０５５３７号公報
【発明の開示】
【発明が解決しようとする課題】
【０００６】
しかしながら、従来のように液晶前面の光量測光を液晶表示装置とは分離された可動のセンサで測光する場合、最近のような一箇所で多量の液晶表示装置を使用しているような印刷あるいは医療現場では、その測光作業は人手でフォトセンサを取り付けて、測定し再び取り外すという大変な工数を要し、不便であるとともにコストの増大となっている。
【０００７】
一方、固定したセンサで測光する場合は、画面の一部の表示が常に犠牲となり、画面全体を有効表示できない問題を抱えており、実際の実施は困難である。
【０００８】
また、調整についてはコンピュータに専用の調整ソフトをインストールする必要がある。このため、ＯＳが異なるコンピュータのディスプレイを調整する場合に、ＯＳの種類と同数の調整プログラムが必要となり管理等が大変煩雑になり、特殊ＯＳの場合に調整プログラムが存在しないと、調整すらできないこととなる。
【０００９】
また、ネットワークを介して遠隔操作で調整プログラムを起動させて調整する場合に、コンピュータですでに起動されている他のソフトウェアと調整プログラムとがコンフリクトして互いにその動作が不安定または動作しない等の障害が発生することとなる。
【００１０】
また、いずれの方法においても、液晶装置前面に現れるバックライトからの光の光量を測光しようとするものであるが、明るい部屋での測光では外乱光の影響を受け、かならずしも正確な光量の測光にはなっていない。このいずれの問題をも解決した測光方法ならびに較正方法が望まれている。
【００１１】
さらに、モニタからの光の輝度、色、質は、モニタの年数、温度、その他の要因によって変化する。ＣＲＴディスプレイの場合、りん光線と陰極にはウェアアウト現象が発生して、熱と経時劣化、消耗という問題があった。ＬＣＤディスプレイは温度安定度が悪く、蛍光灯光源を使用したディスプレイの場合、温度、時間ドリフト、ウェアアウト問題等があった。
【００１２】
モニタからの光を測定する最も正確な方法は、ディスプレイの前面にセンサを取り付けることであり、そうすればセンサは観察者と同じ光を検出することになる。しかし、この方法では、室内光も同時にセンサに入射するため室内光を遮るために大きなシェードが配置されて周辺光を遮る必要があった。しかし、その大型センサ装置はディスプレイの表示領域の一部を覆ってしまうという欠点があった。例えば小型センサを使用しても、表示領域の一部が遮られてしまうという問題があった。
【００１３】
ディスプレイからの光を測定する方法は他にも多数存在し、それらは光を間接的に測定するものである。ＬＣＤディスプレイの場合、光源を測定するにはディスプレイ領域に粗く見積もった光を照射する。従って、センサは観察者と全く同一の光を検出していないため、正確に測光することができなかった。
【００１４】
従って本発明の目的は人手を介することなく測光することができ、測光時以外は液晶面上を遮蔽せず、測光の対象となる液晶表示装置の接続されたコンピュータを介することなくネットワークによる遠隔起動ならびに必要時に起動可能な自己調整型表示システム及び自己調整型モニタ装置及び表示システムの自己調整方法並びに自己調整プログラムを提供することにある。
【課題を解決するための手段】
【００１５】
前記の目的を達成するため、本発明に係る自己調整型表示システムは、液晶表示部と、前記液晶表示部に対向して設けられた測光部と、前記測光部の信号を検出して画質データを測定する測定手段と、予め定めた理想的な登録画質データを記憶させておく記憶手段と、前記登録画質データと測定された測定画質データを比較して差分データを抽出する比較手段と、差分データに基づき液晶表示部を制御する液晶表示制御手段とからなる自己調整型表示システムであって、差分データの値が所定の値以下となるように液晶表示部を制御する。
【００１６】
また、測定手段は、記憶手段に予め記憶されるタイマプログラムに従って予め定められた時間毎に駆動することを特徴とする。
【００１７】
さらに、測定手段は、ネットワークとの接続とデータの送受信を制御するネットワーク制御部と接続されて、ネットワークを介した端末からの信号によって測光の開始と終了を制御してもよい。
【００１８】
さらに、画質データは、液晶表示部の色調を示すガンマカーブ特性と、液晶表示部の色調の均一性であるユニフォミティ特性と、映像信号を変換するための変換テーブルと、液晶表示部の輝度のいずれかを少なくとも一つ含むこともできる。
【００１９】
ここで、ユニフォミティ特性とは画面中央部の輝度値とセンサ部装着されて画面コーナー部分の輝度値との相関の事である。モニタ設置時にこの相関データをとりその数値はモニタ内に記憶される。その後に指定されたパラメータ(最大輝度値、最小輝度値、ガンマカーブ)で、ベゼル内に装着されたアームセンサにて自動調整されその時の測定データがＬＵＴに書き込まれ、指定された理想ガンマカーブに一番近い値をＬＵＴから選び出し理想カーブに近くなるようにガンマカーブを設定される。
【００２０】
続いて、測定手段は、液晶表示部の背後に設けられるバックライトを被覆してバックライトを反射する反射板に開口される入射用開口部の近傍に配置される光源と、前記光源を駆動する駆動回路と、前記駆動回路に送信する変調信号を発生する変調信号発生器と、前記変調信号と測光部からの信号の差分信号を検出する検出部とから構成されてもよい。
【００２１】
また、比較手段は、差分信号から輝度データとガンマカーブデータとユニフォミティとを算出し、さらに表示部に必要な最大強度で規格化し、較正のための階段状の映像信号と比較して変換テーブルと適正輝度量とを算出することもできる。
【００２２】
さらに、液晶表示制御手段は、映像信号を入力する映像信号入力端子と、映像信号を変換テーブルに従って変換する映像変換回路と、映像変換回路の出力信号で液晶駆動信号を生成する液晶駆動回路と、バックライトを駆動するためのバックライト駆動回路から構成されて、算出された変換テーブルで映像信号を変換させ、適正輝度量でバックライト駆動回路を駆動させてもよい。
【００２３】
次に、予め校正された校正用測光装置と測光部を液晶表示部中央に配置して前記液晶表示部の輝度を同時に測定させて、記憶手段に記憶させるとともに各輝度毎に校正用測光装置と測光部との相関係数を算出させる。
【００２４】
測光部は、ベゼルの側面と接合する固定部と、前記固定部と連接する支持部と、前記支持部上に表面部と平行に連接される平板部とからなり、前記固定部と前記平板部との間に回転軸が架設されて、前記測光部の可動部が前記回転軸に表示画面と平行に回転軸を中心に回動可能に固定されることを特徴とする。
【００２５】
測光部は、液晶表示装置を駆動する液晶表示装置駆動手段と接続手段を介して電気的に接続されていることを特徴とする。ここで接続手段の例としてＲＳ２３２Ｃ、ＵＳＢ、Ｉ２Ｃ、ＩＲ４，無線（ブルートゥース）等が挙げられる。
【００２６】
測光部は、前記可動部の前記回転軸と反対側端部に開口部を設けて光管の端部を前記表示画面側に配置させて前記可動部内に前記光管を連通させ、前記光管の他端部を回転軸の軸設置面に配置された光センサと接することにより、光を前記可動部から前記光センサへ運ぶことを特徴とする。
【００２７】
測光部は、前記可動部の前記回転軸と反対側端部に開口部を設けて光ファイバーケーブルの端部を前記表示画面側に配置させて前記可動部内に前記光ファイバーケーブルを連通させ、前記光ファイバーケーブルの他端部を回転軸の軸設置面に配置された光センサと接することにより、光を前記可動部から前記光センサへ伝達することを特徴とする。
【００２８】
測光部は、前記可動部の前記回転軸と反対側端部の前記表示画面側に開口部を設けて前記表示画面と平行になるよう第１鏡面を前記可動部内部の暗室内に前記可動部の長軸に対して斜めに配置し、一方前記回転軸側端部の前記表示画面と対称に第２鏡面を配置することにより、光を前記可動部から光センサへ伝達することを特徴とする。
【００２９】
さらに、ユニフォミティ特性を測定する補助的な測光器を追加してもよい。
【００３０】
さらに、本発明に係る表示システムの自己調整方法は、液晶表示部と、前記液晶表示部に対向して設けられた測光部と、測光部の信号を検出して画質データを測定する測定手段と、予め定めた理想的な登録画質データを記憶させておく記憶手段と、前記登録画質データと測定された測定画質データを比較して差分データを抽出する比較手段と、差分データに基づき液晶表示部を制御する液晶表示制御手段とからなる自己調整型表示システムにおける表示システムの自己調整方法であって、
測光を開始する信号の入力を受けて測光部が液晶表示部の放出光を検出して測定データが画質データに変換し、
比較手段が予め登録された画質データと測定された画質データの差分データを得て、差分データが予め定めた値より大きい場合は差分データを液晶表示制御手段に送付して液晶表示を自己調整し、
測定データが測定日時情報とともに記憶手段へ記憶する。
【００３１】
また、測光を開始する信号は、予め作動するタイマプログラムにより所定の時間の経過毎に駆動することを特徴とする。
【００３２】
さらに、測光を開始する信号は、ネットワークを介して接続される端末から入力される駆動開始信号であってもよい。
【００３３】
その上、画質データは、予め登録されたガンマカーブ特性と測光部が検出して測定手段が測定した液晶表示部のガンマカーブ特性であることを特徴とする。
【００３４】
そして、画質データは、予め登録されたガンマカーブ特性と測光部が検出して測定手段が測定した液晶表示部のガンマカーブ特性であることを特徴とする。
【００３５】
また、画質データは、予め登録された輝度特性と測光部が検出して測定手段が測定した液晶表示部の輝度特性であってもよい。
【００３６】
次に予め校正された校正用測光装置と測光部を液晶表示部中央に配置して前記液晶表示部の輝度を同時に測定させて、記憶手段に記憶させるとともに各輝度毎に校正用測光装置と測光部との相関係数を算出させてもよい。
【００３７】
さらに、本発明に係る表示システムの自己調整プログラムは、液晶表示部と、前記液晶表示部に対向して設けられた測光部と、測光部信号を検出して画質データを測定する測定手段と、予め定めた理想的な登録画質データを記憶させておく記憶手段と、前記登録画質データと測定された測定画質データを比較して差分データを抽出する比較手段と、差分データに基づき液晶表示部を制御する液晶表示制御手段とからなる自己調整型表示システムにおける表示システムの自己調整プログラムであって、
測光を開始する信号の入力を受けて測光部が液晶表示部の放出光を検出して測定データを画質データに変換し、
比較手段が予め登録された画質データと測定された画質データの差分データを得て、差分データが予め定めた値より大きい場合は差分データを液晶表示制御手段に送付して液晶表示を自己調整する。
【発明の効果】
【００３８】
本発明を用いると、人手を介することなく精度の高い測光をおこなうことができ、また、測光しないときにディスプレイを遮蔽することがない。よって、高い階調性や再現性を要求される医療用液晶ディスプレイやデザイン用の高精度・光階調度の液晶ディスプレイにおいて極めて工業価値が高いものである。
【００３９】
特に調整用プログラムを測光対象の液晶表示装置と接続されるコンピュータにインストールすることがないため、調整作業が前記コンピュータのＯＳに左右されることがない。また、前記コンピュータを使用しないために前記コンピュータで起動しているソフトウェアと調整作業がコンフリクトする可能性がない。
【発明を実施するための最良の形態】
【００４０】
以下、本発明の実施の形態について、図面を参照して詳細に説明する。
【００４１】
（実施の形態１）
図１は、本発明における自己調整型表示システムの第１の実施の形態の測光装置の構成図である。四角形の液晶面とその周囲を囲うベゼル４からなる液晶表示装置１の４隅の内の少なくとも１隅に移動可動に測光装置２が配置されている。測光装置は測光時に液晶表示装置正面に移動され、測光が終われば測光装置は液晶面の角部を中心とした円を描き３で示す矢印方向に回転移動し、ベゼル４の中に格納される。
【００４２】
図２は、本発明における第１の実施の形態の測光装置の詳細図である。液晶表示装置正面を向いたセンサ２４を搭載した測光装置可動部２３は、例えばベゼル２５内に位置する軸２２を中心に、カムレバー２８を介したマイクロモータ２１のよって回転可能に配置され、測光時には、図２破線位置２６に移動し、測光時以外には実線位置２７の位置に収納される。この可動により、測光時以外では、ベゼル２５内に測光装置可動部２３は隠れ、液晶表示部の邪魔にならない。測光時には、液晶表示装置正面をセンサ２４が覆うことになり、測光が可能となる。なお、センサ２４を搭載した測光装置可動部２３は液晶表示装置の任意の位置に取り付ければよく、また、回転方向も任意でよい。
【００４３】
なお、本実施の形態では、ベゼル角部に測光装置を配置する形態について説明したが、測光装置の位置はベゼル角部に限定されるものではなく、液晶表示装置の視野を妨げない位置であればいずれの位置であっても良く、ベゼル上の上部、下部、左側方、右側方に位置されても良い。また、測光装置はベゼルに固定されていてもよい。
【００４４】
（実施の形態２）
図３は、本発明における第２の実施の形態の自己調整型表示システムの全体構成図を示したものである。
【００４５】
液晶表示部３６は、ベゼル３７に周囲を支持されて、ベゼル３７に軸部３８と駆動部３９を介して装着されて測光装置可動部３１上のフォトデテクター３２が設けられる。フォトデテクター３２は、軸部３８を中心に回動して液晶表示装置３６表面に移動できるよう構成される。
【００４６】
液晶表示部３６は、映像信号入力端子３８６が映像信号変換回路３８５に接続され、液晶駆動回路３８４を介して液晶表示部３６に接続される。一方、バックライト３４はバックライト駆動回路３８７と接続され、液晶表示部３６の背部に配置され、このバックライト３４はさらに反射板３５に被覆される。
【００４７】
発光ダイオードまたは半導体レーザ３３を液晶パネル背面側の反射板３５の一部に開けた窓である入射用開口部３３１から表示側に向けて設置する。ここでフォトデテクター３２はシリコンＰＮダイオードを用い、発光ダイオード３３はＲＧＢＷ（赤、緑、青、白）の４種を並べられる。
【００４８】
発光ダイオード３３は、変調信号発生器３８１と接続される駆動回路３８２と接続され、駆動回路３８２と接続される変調信号発生器３８１は、相関量検出回路３８３と接続される。相関量検出回路３８３はフォトデテクター３２と接続され、中央演算素子ＣＰＵ３８８と接続される。
【００４９】
中央演算素子ＣＰＵ３８８は、さらに映像信号変換回路３８５とバックライト駆動回路３８７とデータベース３９１と接続される。中央演算素子ＣＰＵ３８８は、駆動部３９を駆動する駆動制御部と、画質データを比較する比較手段と、差分データに基づき液晶表示制御部とから構成される。駆動制御部は、駆動制御プログラム３８８２によって制御される。比較手段は、信号処理プログラム３８８４によって制御される。液晶表示制御部は、液晶装置制御プログラムによって制御される。
【００５０】
また、データベースは、登録ガンマカーブ３８９０と、登録ユニフォミティ３８９２と、登録変換テーブル３８９４と、測定ガンマカーブ３８９６と、測定ユニフォミティ３８９８と、タイマプログラム３８８０と、駆動制御プログラムと３８８２と、信号処理プログラム３８８４と、液晶装置制御プログラム３８８６が設けられる。
【００５１】
登録ガンマカーブ３８９０は、本液晶に適用すると理想的な色調の得られるガンマカーブを予め登録しておくものである。
【００５２】
登録ユニフォミティ３８９２は、本液晶に適用すると理想的な均一性の得られるユニフォミティを予め登録しておくものである。
【００５３】
登録変換テーブル３８９４は、入力すべきＲＧＢ信号を液晶表示部駆動用データに変換するための変換テーブルを予め登録するものである。
【００５４】
測定ガンマカーブ３８９６は、相関量検出回路３８３で検出された検出データから求められたガンマカーブデータである。
【００５５】
測定ユニフォミティ３８９８は、相関量検出回路３８３で検出された検出データから求められたユニフォミティデータである。
【００５６】
タイマプログラム３８８０は、所定の時間間隔または指定された期日に測光をなすプログラムであり、ＣＰＵ３８８によって実施される。
【００５７】
駆動制御プログラム３８８２は、測光装置可動部３１を駆動及び停止させるプログラムであり、タイマプログラム３８８０に連動して実行され、測定後に可動部３１を収納する。
【００５８】
信号処理プログラム３８８４は、相関量検出回路３８３で検出された検出データから測定ガンマカーブ３８９６と、測定ユニフォミティ３８９８と、輝度と、変換テーブルとを算出し、予め登録されている登録ガンマカーブ３８９０と、登録ユニフォミティ３８９２と、登録変換テーブル３８９４とを比較して修正するプログラムである。
【００５９】
液晶装置制御プログラム３８８６は、信号処理プログラム３８８４の算出した輝度と、変換テーブルを映像信号変換回路３８５とバックライト駆動回路３８７に適用するプログラムである。
【００６０】
なお、ベゼル前面にフォトデテクターを設置し、その出力信号を増幅器とＡＤコンバータを経由してデジタル値にしてＣＰＵに送ってもよく、前面から入射される不要な光による影響を削減することができる。また、画像信号の較正を行うなど任意である。
【００６１】
（実施の形態３）
図４は、本発明における第３の実施の形態の測光装置において、画像信号の較正を行う構成を示したものである。本実施の形態３と実施の形態２との構成の違いは、まず、ベゼル４７前面にフォトデテクター４２２を設置し、その出力信号を４２３増幅器とＡＤコンバータを経由してデジタル値にしてＣＰＵ４８８に送る点である。この構成を追加することで前面から入射される不要な光による影響を削減することができる。次に、ＣＰＵ中央演算素子３８８が、ネットワーク制御部３９２を介してネットワーク３９４に接続される点である。
【００６２】
また、データベース３９１には、タイマプログラムに代わりネットワーク制御プログラム３８８１が記憶される。このためネットワーク３９４に接続される他の端末３９６から測光開始信号をＣＰＵ中央演算素子３８８へ送信可能となる。ＣＰＵ中央演算素子３８８は、ネットワーク３９４に接続される他の端末３９６からの信号に基づき、測光を開始する。
【００６３】
ネットワーク制御プログラム３８８１は、ネットワーク３９４への信号の送受信並びにプロトコル制御を行なうプログラムである。
【００６４】
上記の構成において、ネットワークを利用した第７の実施の形態の測光装置の作用について説明する。
【００６５】
他の端末３９６より調整或いは測定開始のコマンドが、ネットワーク３９４とネットワーク制御部３９２を介してＣＰＵ３８８へ送信される。
【００６６】
ＣＰＵ３８８は、入力映像信号の有無と、バックライト３４の点灯状態をモニタし、動作していない場合は点灯させる。
【００６７】
ＣＰＵ３８８は、液晶駆動回路に自動調整用映像信号を送信して、液晶３６に自動調整用映像を表示させる。
【００６８】
その後、ＣＰＵ３８８は測光装置可動部３１を駆動させフォトデテクター３２より半導体レーザ３３の照射光を受光し相関量検出回路３８３で検出する。
【００６９】
ＣＰＵ３８８は、検出情報に基づき映像信号変換回路３８５における変換テーブルＬＵＴを調整する。
【００７０】
この結果、映像信号入力端子３８６へ映像を送るパーソナルコンピュータ等のソフトウェアを利用することなく液晶３６の自動調整が可能となる。従って、パーソナルコンピュータ等のＯＳ毎に開発の必要であったソフトウェアを必要とすることなく液晶３６の自動調整が可能となる。
【００７１】
また、仮に自動調整時にパーソナルコンピュータ等よりパワーオフ信号等が発信され、液晶３６についてのバックライト３４等が消灯している場合等であっても遠隔で自動調整することが可能となる。
【００７２】
そこで、大量の液晶モニタについて遠隔調整によって自動調整することが容易となる。しかも、液晶３６の表示は調整や使用時を除いてパワーオフが可能となり、エネルギーの節約および液晶３６とバックライト３４の寿命を延ばすことが可能となる。
【００７３】
（実施の形態４）
図５は、本発明における第４の実施の形態の測光装置において、画像信号の較正を行う構成を示したものである。本実施の形態４と実施の形態３との構成の違いは、ベゼル４７前面にフォトデテクター４２２を設置し、その出力信号を４２３増幅器とＡＤコンバータを経由してデジタル値にしてＣＰＵ４８８に送る点である。この構成を追加することで前面から入射される不要な光による影響を削減することができる。次に、ＣＰＵ中央演算素子４８８が、ネットワーク制御部４９２を介してネットワーク４９４に接続される点である。
【００７４】
また、データベース４８９には、タイマプログラムに代わりネットワーク制御プログラム４８８１が記憶される。このためネットワーク４９４に接続される他の端末４９６から測光開始信号をＣＰＵ中央演算素子４８８へ送信可能となる。ＣＰＵ中央演算素子４８８は、ネットワーク４９４に接続される他の端末４９２からの信号に基づき、測光を開始する。
【００７５】
ネットワーク制御プログラム４８８１は、ネットワーク４９４への信号の送受信並びにプロトコル制御を行なうプログラムである。
【００７６】
（実施の形態５）
図６は、本発明における第５の実施の形態の測光装置において、画像信号の較正を行う構成を示したものである。本実施の形態５と実施の形態４との構成の違いは、ベゼル５７に装着された測光装置可動部５１上のフォトデテクター５２１を液晶表示装置５６表面に移動する（ここでフォトデテクター５２１はシリコンＰＮダイオードを用いる）。また、反射板５５には一切開口部がなく液晶表示の背面全面が反射板５５に被覆される点である。光源としてバックライトのみの場合の輝度について測定が可能である。次に、ＣＰＵ中央演算素子５８８が、ネットワーク制御部５９２を介してネットワーク５９４に接続される点である。
【００７７】
また、データベース５８９には、タイマプログラムに代わりネットワーク制御プログラム５８８１が記憶される。このためネットワーク５９４に接続される他の端末５９６から測光開始信号をＣＰＵ中央演算素子５８８へ送信可能となる。ＣＰＵ中央演算素子５８８は、ネットワーク５９４に接続される他の端末５９２からの信号に基づき、測光を開始する。
【００７８】
ネットワーク制御プログラム５８８１は、ネットワーク５９４への信号の送受信並びにプロトコル制御を行なうプログラムである。
【００７９】
（実施の形態６）
図７は、本発明における第６の実施の形態の測光装置において、画像信号の較正を行う構成を示したものである。本実施の形態６と実施の形態５との構成の違いは、先ずベゼル６７前面にフォトデテクター６２２を設置し、その出力信号を６２３増幅器とＡＤコンバータを経由してデジタル値にしてＣＰＵ６８８に送る。次にベゼル６７に装着された測光装置可動部６１上のフォトデテクター６２１と６２４が液晶表示装置６６表面に設けられることである。バックライト６４からの直接光のみでなく反射板６５からの反射光による輝度等の誤差を見積もることが可能となる。また、ＣＰＵ中央演算素子６８８が、ネットワーク制御部６９２を介してネットワーク６９４に接続される点である。
【００８０】
また、データベース６８９には、タイマプログラムに代わりネットワーク制御プログラム６８８１が記憶される。このためネットワーク６９４に接続される他の端末６９６から測光開始信号をＣＰＵ中央演算素子６８８へ送信可能となる。ＣＰＵ中央演算素子６８８は、ネットワーク６９４に接続される他の端末６９２からの信号に基づき、測光を開始する。
【００８１】
ネットワーク制御プログラム６８８１は、ネットワーク６９４への信号の送受信並びにプロトコル制御を行なうプログラムである。
【００８２】
（実施の形態７）
図８は、本発明における第７の実施の形態の測光装置において、画像信号の較正を行う構成を示したものである。本実施の形態７と実施の形態６との構成の違いは、本発明における第６の実施の形態の測光装置において、画像信号の較正を行う構成としたことである。また、反射板７５の一部に開けた検出用開口部７２８から表示画面に向けて７２６フォトデテクターを設置したことである。さらに、ＣＰＵ中央演算素子７８８が、ネットワーク制御部７９２を介してネットワーク７９４に接続される点である。
【００８３】
また、データベース７８９には、タイマプログラムに代わりネットワーク制御プログラム７８８１が記憶される。このためネットワーク７９４に接続される他の端末７９６から測光開始信号をＣＰＵ中央演算素子７８８へ送信可能となる。
【００８４】
なお、ＣＰＵ中央演算素子７８８は、ネットワーク７９４に接続される他の端末７９２からの信号に基づき、測光を開始する。
【００８５】
ネットワーク制御プログラム７８８１は、ネットワーク７９４への信号の送受信並びにプロトコル制御を行なうプログラムである。
【００８６】
（実施の形態８）
図９に本発明に係る実施の形態２及び実施の形態３におけるガンマカーブ特性について表示システムの自己調整方法について示す。
【００８７】
第一のステップは、実施の形態２では、タイマプログラムにより実施の形態３では、ネットワーク上の他の端末３９６からの開始信号によって測定指令がＣＰＵ３８８に伝達されるステップである（Ａ２）。この指令によって駆動制御部が駆動制御プログラム３８８２に従って、測光装置可動部３１を駆動させる。
【００８８】
第二のステップは、測光装置可動部３１を駆動してフォトデテクター３２が所定の位置に移動して測光が測定手段により信号処理プログラム３８８２によって開始される工程である（Ａ４）。
【００８９】
第三のステップは、検出された測光結果から測定ガンマカーブ３８９６が算出されて、登録された登録ガンマカーブ３８９０が信号処理プログラム３８８２によって比較されるステップである（Ａ６）。
【００９０】
ここで、差分データが予め定めた基準データより小さい場合は、測定記録を測定日時情報とともに記憶して測定を完了する（Ａ８）。
【００９１】
一方、差分データが予め定めた基準データより大きい場合は、測定記録を測定日時情報とともに記憶し（Ａ１０）、変換テーブルを生成する（Ａ１２）。
【００９２】
その後作成された変換テーブルに基いて液晶表示制御手段が、液晶装置制御プログラム３８８６によって制御され、その後に駆動制御プログラム３８８２は、測光装置可動部３１をベゼル内に収納する（Ａ１４）。その後、再測光して再び変換テーブルを作成することでより調整効果が向上する。
【００９３】
（実施の形態９）
図１０に本発明に係る実施の形態２及び実施の形態３におけるユニフォミティ特性について表示システムの自己調整方法について示す。
【００９４】
第一のステップは、実施の形態２では、タイマプログラムにより実施の形態３では、ネットワーク上の他の端末３９６からの開始信号によって測定指令がＣＰＵ３８８に伝達されるステップである（Ｂ２）。この指令によって駆動制御部が駆動制御プログラム３８８２に従って、測光装置可動部３１を駆動させる。
【００９５】
第二のステップは、測光装置可動部３１を駆動してフォトデテクター３２が所定の位置に移動して測光が測定手段により信号処理プログラム３８８２によって開始される工程である（Ｂ４）。
【００９６】
第三のステップは、検出された測光結果から測定ユニフォミティ３８９８が算出されて、登録された登録ガンマカーブ３８９２が信号処理プログラム３８８２によって比較されるステップである（Ｂ６）。
【００９７】
ここで、差分データが予め定めた基準データより小さい場合は、測定記録を測定日時情報とともに記憶して測定を完了する（Ｂ８）。
【００９８】
一方、差分データが予め定めた基準データより大きい場合は、測定記録を測定日時情報とともに記憶し（Ｂ１０）、変換テーブルを生成する（Ｂ１２）。
【００９９】
その後作成された変換テーブルに基いて液晶表示制御手段が、液晶装置制御プログラム３８８６によって制御され、その後に駆動制御プログラム３８８２は、測光装置可動部３１をベゼル内に収納する（Ｂ１４）。その後、再測光して再び変換テーブルを作成することでより調整効果が向上する。
【０１００】
（実施の形態１０）
図１１に本発明に係る実施の形態５における輝度特性について表示システムの自己調整方法について示す。
【０１０１】
第一のステップは、実施の形態５では、ネットワーク上の他の端末５９６からの開始信号によって測定指令がＣＰＵ５８８に伝達されるステップである（Ｃ２）。この指令によって駆動制御部が駆動制御プログラム５８８２に従って、測光装置可動部５１を駆動させる。
【０１０２】
第二のステップは、測光装置可動部５１を駆動してフォトデテクター５２が所定の位置に移動して測光が測定手段により信号処理プログラム５８８２によって開始される工程である（Ｃ４）。
【０１０３】
第三のステップは、検出された測光結果から測定輝度５８９８が算出されて、登録された登録輝度５８９２が信号処理プログラム５８８２によって比較されるステップである（Ｃ６）。
【０１０４】
ここで、差分データが予め定めた基準データより小さい場合は、測定記録を測定日時情報とともに記憶して測定を完了する（Ｃ８）。
【０１０５】
一方、差分データが予め定めた基準データより大きい場合は、測定記録を測定日時情報とともに記憶し（Ｃ１０）、変換テーブルを生成する（Ｃ１２）。
【０１０６】
その後作成された変換テーブルに基いて液晶表示制御手段が、液晶装置制御プログラム３８８６によって制御され、その後に駆動制御プログラム３８８２は、測光装置可動部３１をベゼル内に収納する（Ｃ１４）。
【０１０７】
（実施の形態１１）
図１２から１５に本発明における第１１の実施の形態を示す。
【０１０８】
図１２は、１つの測光部１０８をベゼル１０２上に設置する場合の３つの可能な位置を示している。測定装置本体は表示画面１０６の外側のいずれの位置にも設置することができる。ここでは、ベゼル１０２の角部に取り付けた場合と第１の側部に取り付けた場合と第２の側部に取り付けた場合が示されている。最適な位置は、ベゼル１０２の角部である。この場合、測光部１０８は表示画面１０６の外側に取り付けられているため、表示画面１０６を遮ることがない。測定時、光センサ１１０は短時間で表示画面１０６上を移動することができる。
【０１０９】
測光部１０８はベゼル１０２の側面と接合する固定部１０７と、固定部１０７と連接する支持部１０５と、支持部１０５上に表示画面１０６と平行に連接される平板部１０３とからなり、固定部１０７と平板部１０３との間に回転軸１１１が架設される。ここで、測光部１０８はベゼル１０２にネジ止め固定されていてもよいし、洗濯ばさみのようなものでバネ止め固定されていてもよい。又はそれらの固定手段を組み合わせてもよい。
【０１１０】
図１３は、測光部１０８とディスプレイの角部を第１の側部から見た図である。ディスプレイと可動部１０４は前記回転軸１１１に表示画面１０６と平行に回転軸１１１を中心に回動可能に固定される。可動部１０４の回転軸１１１との固定側の反対側端部であって表示画面１０６と対向する側に光センサ１１０が設けられている。平板部１０３外側に外光センサ１１２が設けられている。
【０１１１】
図１４（ａ）、（ｂ）は測光部１０８の正面図であって、可動部１０４の動きを示す。（ａ）では、測光部１０８の可動部１０４は表示画面１０６と平行な面内を回転軸１１１を中心にしてベゼル１０２と平行方向からベゼル１０２に対して直角方向まで回動する。（ｂ）では、可動部１０４はヒンジ１０９で折り畳む形状になっている。
【０１１２】
光センサ１１０は色センサであって、モニタ１１６からの光や光の質を測定するものである。センサは最大及び最小の光量を測定してもよい。センサは、ディスプレイのガンマ曲線及び／又はディスプレイ能力を測定するために最小から最大までの多くの光量を測定してもよく、入力信号に対する光出力の所定の曲線と一致する。
【０１１３】
図１５には、本発明におけるシステムの構成図である。モニタ１１６はＰＣ１２２と第１ケーブル１２６を介して接続されており、モニタ１０６と接続されるＰＣ１２２と測光装置が第２ケーブル１２８を介して接続されている。第１ケーブル１２６を介して映像ディスプレイデータが伝達され、第２ケーブル１２６を介して光測定値と制御通信が伝達される。その他ＰＣ１２２にはキーボード１１８やマウス１２０が接続されている。
【０１１４】
本発明に係るシステムの全体は、仕様に合うよう表示能力を測定するために使用されることができる。モニタが要求に合わない場合に指示し、表示画面の経時変化を補正するために演算装置を測定する。
【０１１５】
センサからのデータは異なる多くの可能な方法で演算装置に送信される。その方法は、ＲＳ２３２シリアルコネクションを介してセンサをＰＣと接続するワイヤーであってもよいし、ＵＳＢシリアルコネクションを介して演算装置と接続するワイヤーであってもよい。また、Ｉ２Ｃシリアルコネクションを介して情報を運ぶワイヤーであってもよい。データは、ＰＣ１２２と測光部１０８にそれぞれＩＲの送受信部を設けて、ＩＲを介して伝達されてもよいし、またデータはＰＣ１２２と測光部１０８にそれぞれＲＦ（ラジオ波）送受信部を設けて、ＲＦを介して伝達されてもよい。ＲＦの例はブルートゥースであり、これは２．４ＧＨｚ帯域を用いる無線伝送方式である。
【０１１６】
（実施の形態１２）
図１６に、本発明における第１２の実施の形態を示す。ここでは、第１１の実施例と異なる点のみを説明する。
【０１１７】
可動部１０４の内部に光管や光ファイバーケーブル１１３を使用して可動部１０４から固定された光センサ１１０へ光を伝達させる例が示されている。可動部１０４の回転軸１１１と反対側の端部に開口部を設けて光管又は光ファイバーケーブル１１３を表示画面１０６側に配置させ、可動部１０４内に光管又は光ファイバーケーブル１１３を連通させる。光管又は光ファイバーケーブル１１３の他端部を回転軸１０７の軸設置面に配置された光センサ１１０を接することにより、表示画面１０６から放射された光は、可動部１０４一端から入射して光管又は光ファイバーケーブル１１３を通ってベゼル１０２の外側に位置する可動部１０４他端の測光部１０８の固定部１０７の軸設置面に設置された光センサ１１０に入射する。ここで、光が入射する部分の構成は、単なる開口部であってもよいし、その開口部に透明カバーをかぶせたものであってもよい。
【０１１８】
（実施の形態１３）
図１７に、本発明における第１３の実施の形態を示す。ここでは、第１２の実施の形態と異なる点のみ説明する。
【０１１９】
可動部１０４の回転軸と反対側の端部の表示画面１０６側に開口部を開口し、表示画面１０６からの光線を表示画面１０６の表面と平行となるように第１の鏡面１１４を可動部１０４の内部の暗室１１５内に可動部１０４の長軸に対して斜めに配置し、一方回転軸側端部の表示画面１０６側にも開口部を設けて第１の鏡面と対称に第２鏡面１１７を配置する。表示画面１０６から放射された光は、可動部１０４一端から入射して可動部１０４内の第１鏡面１１４に反射してベゼル１０２の外側に位置する可動部１０４他端の測光部１０８の固定部１０７に設置された光センサ１１０に入射する。
【０１２０】
（実施の形態１４）
図１８に、本発明に係る第１４の実施の形態を示す。
【０１２１】
上記のいずれかの実施の形態に、片面に受光部が配置された手動の測光器１３０が追加されている。手動測光器１３０はデータケーブル１２４で固定された測光部１０８と電気的に接続されている。ここでは、手動測光器１３０を直接表示画面１０６にあてた状態で測光する。これによって第２の測光器での測定値を相関させることができる。
【０１２２】
第２の測光器はまた、ユニフォミティ特性を測定するために使用される。可動部１０４は限定された領域上で光を測定することができる。手動の測光器１３０は所望の領域上で測定をする機能が追加されている。
【０１２３】
（実施の形態１５）
図１９に、本発明に係る第１５の実施の形態を示す。
【０１２４】
表示画面１３６の幅と同じ長さのバー状の可動部１３４が表示画面１３６の底辺と平行になるよう左右両側のベゼル１３８に上下方向に移動可能に取り付けられる。可動部１３４上に１つ又は多数の多重光センサ１３２が設置されている。可動部１３４はディスプレイ装置の表示画面１３６を横切って上下に移動する。このようにして、多くの領域を測定することができる。可動部１０４はディスプレイ装置の外側に取り付けられるか、又は可動部１０４とその制御機構はベゼル１０２の内側に隠すことができる。
【０１２５】
可動部１３４は鉛直方向に取り付けられて、ディスプレイ装置上の表示画面１３６上を右から左へ移動させてもよい。
【０１２６】
上記の全ての実施例で、第２の光センサが追加されて室内光を検知することができる。いくつかの応用例では、変化は室内光の変化をディスプレイに補正させる必要がある。
【０１２７】
全ての実施例で、ＩＤ番号がセンサに与えられる。数多くの応用例で多重表示装置が一緒に使用されている。１つの演算装置は１つのバンクまたは領域で全ての表示を測定する。
【産業上の利用可能性】
【０１２８】
上述の通り本発明は、金融関係市場や医療関係市場で活用可能な自己調整型表示システム及び自己調整型モニタ装置及び表示システムの自己調整方法並びに自己調整プログラムを提供する。
【図面の簡単な説明】
【０１２９】
【図１】本発明に係る自己調整型表示システムの第１の実施例を示す構成図である。
【図２】本発明に係る自己調整型表示システムの第２の実施例を示す部分拡大図である。
【図３】本発明に係る自己調整型表示システムの第３の実施例の構成図を示す。
【図４】本発明に係る自己調整型表示システムの第４の実施例を示す部分拡大図である。
【図５】本発明に係る自己調整型表示システムの第５の実施例の構成図を示す。
【図６】本発明に係る自己調整型表示システムの第６の実施例の構成図である。
【図７】本発明に係る自己調整型表示システム晶表示装置の第７の実施例の構成図を示す。
【図８】本発明に係る自己調整型表示システム並びに液晶表示装置の第８の実施例の構成図を示す。
【図９】本発明に係る自己調整型表示システム並びに液晶表示装置の第９の実施例の構成図を示す。
【図１０】本発明に係る自己調整型表示システム並びに液晶表示装置の第９の実施例の構成図を示す。
【図１１】本発明に係る自己調整型表示システム並びに液晶表示装置の第１０の実施例の構成図を示す。
【図１２】本発明に係る自己調整型表示システム並びに液晶表示装置の第１１の実施例の部分構成図を示す。
【図１３】本発明に係る自己調整型表示システム並びに液晶表示装置の第１１の実施例の部分拡大図を示す。
【図１４】（ａ）及び（ｂ）は、本発明に係る自己調整型表示システム並びに液晶表示装置の第１１の実施例の測光部の可動部の動きを示す図である。
【図１５】本発明に係る自己調整型表示システム並びに液晶表示装置の第１１の実施例のシステムの構成図である。
【図１６】本発明に係る自己調整型表示システム並びに液晶表示装置の第１２の実施例であって、可動部の内部に光管又は光ファイバーケーブルを使用した測光部を示す構成図である。
【図１７】本発明に係る自己調整型表示システム並びに液晶表示装置の第１３の実施例であって、可動部の内部に鏡面と暗室を設けた測光部を示す構成図である。
【図１８】本発明に係る自己調整型表示システム並びに液晶表示装置の第１４の実施例であって、手動の測光器を追加した例を示す部分構成図である。
【図１９】本発明に係る自己調整型表示システム並びに液晶表示装置の第１５の実施例であって、可動部に多数の光センサを備える例を示す構成図である。
【符号の説明】
【０１３０】
２  測光装置
４  ベゼル
２１  マイクロモータ
２２  軸
２３  測光装置可動部
２４  センサ
２５  ベゼル
２８  カムレバー
３１  測光装置可動部
３２  フォトデテクター
３３  発光ダイオードまたは半導体レーザ
３４  バックライト
３５  反射板
３６  液晶表示部
３７  ベゼル
３８  軸部
３９  駆動部
４１  測光装置可動部
４３  発光ダイオードまたは半導体レーザ
４５  反射板
４６  液晶表示装置
４７  ベゼル
５１  測光装置可動部
５５  反射板
５６  液晶表示装置
６１  測光装置可動部
６３  発光ダイオードまたは半導体レーザ
６４  バックライト
６５  反射板
６６  液晶表示装置
６７  ベゼル
７１  測光装置可動部
７３  発光ダイオードまたは半導体レーザ
７５  反射板
７６  液晶表示装置
７７  ベゼル
１０２  ベゼル
１０３  平板部
１０４  可動部
１０５  支持部
１０６  表示画面
１０７  固定部
１０８  測光部
１０９  ヒンジ
１１０  光センサ
１１１  回転軸
１１２  外光センサ
１１３  光ファイバーケーブル
１１４  第１鏡面
１１５  暗室
１１６  モニタ
１１７  第２鏡面
１１８  キーボード
１２０  マウス
１２２  ＰＣ
１２４  データケーブル
１２６  第１ケーブル
１２８  第２ケーブル
１３０  手動測光器
１３２  多重光センサ
１３４  可動部
１３６  表示画面
１３８  ベゼル
３３１  入射用開口部
３８１  変調信号発生器
３８２  駆動回路
３８３  相関量検出回路
３８４  液晶駆動回路
３８５  映像信号変換回路
３８６  映像信号入力端子
３８７  バックライト駆動回路
３８８  中央演算素子ＣＰＵ
３８９  変換テーブル
３９１  データベース
４２１、４２２  フォトデテクター
４２３  増幅器
４８１  変調信号発生器
４８４  液晶駆動回路
４８５  映像信号変換回路
４８６  映像信号入力端子
４８７  バックライト駆動回路
４８８  ＣＰＵ
４８９  変換テーブル
５２１  フォトデテクター
５２２  増幅器
５８４  液晶駆動回路
５８６  映像信号入力端子
５８７  バックライト駆動回路
５８８  ＣＰＵ
５８９  変換テーブル
６２１、６２４  フォトデテクター
６２２  フォトデテクター
６２３  増幅器
６２５  増幅器
６３１  検出開口部
６２１、６２２、６２４  フォトデテクター
６８１  変調信号発生器
６８２  駆動回路
６８３  相関検出回路
６８４  液晶駆動回路
６８５  映像信号変換回路
６８６  映像信号入力端子
６８７  バックライト駆動回路
６８８  ＣＰＵ
６８９  変換テーブル
７２１、７２２、７２４、７２６  フォトデテクター
７２３  増幅器
７２４  フォトデテクター
７２５  増幅器
７２７  増幅器
７２８  検出用開口部
７３１  入射用開口部
７８１  変調信号発生器
７８３  相関検出回路
７８４  液晶駆動回路
７８５  映像信号変換回路
７８６  映像信号入力端子
７８７  バックライト駆動回路
７８８  ＣＰＵ
７８９  変換テーブル
３８８０  タイマプログラム
３８８２  駆動制御プログラム
３８８４  信号処理プログラム
３８８６  液晶装置制御プログラム
３８９０  登録ガンマカーブ
３８９２  登録ユニフォミティ
３８９４  登録変換テーブル
３８９６  測定ガンマカーブ
３８９８  測定ユニフォミティ
【図１】
2005208548.tif 000003
【図２】
2005208548.tif 000004
【図９】
2005208548.tif 000005
【図１０】
2005208548.tif 000006
【図１１】
2005208548.tif 000007
【図１２】
2005208548.tif 000008
【図１３】
2005208548.tif 000009
【図１４】
2005208548.tif 000010
【図１５】
2005208548.tif 000011
【図１６】
2005208548.tif 000012
【図１７】
2005208548.tif 000013
【図１８】
2005208548.tif 000014
【図１９】
2005208548.tif 000015
【図３】
2005208548.tif 000016
【図４】
2005208548.tif 000017
【図５】
2005208548.tif 000018
【図６】
2005208548.tif 000019
【図７】
2005208548.tif 000020
【図８】
2005208548.tif 000021